(57)【要約】【課題】  遊技機島の高さを低く抑えることができるコンパクトなメダル循環装置を提供する。【解決手段】  メダル循環装置の主要部は、遊技機１０よりオーバーフローして回収されたメダルを貯留する回収タンク２１と、回収タンク２１内のメダルを搬送する傾斜コンベア２３と、搬送されたメダルを揚送する回収リフタ３０と、揚送されたメダルを受容して洗浄するメダル洗浄装置４０と、洗浄されたメダルを貯留するメインタンク５０と、メインタンク５０より払い出されたメダルを揚送する補給リフタ６０とによって構成されて遊技機島１０の一端に配置されるとともに、補給リフタ６０は、回収リフタ３０より高さが高く構成されている。【選択図】  図１
2006034909.tif 000002
【特許請求の範囲】
【請求項１】
横並びに並列された複数の遊技機と、これらの遊技機の間に適宜配置されたメダル貸出機とによって構成される遊技機島には、オーバーフローするメダルを回収するための回収コンベアと、前記遊技機および前記メダル貸出機にメダルを配給するための補給コンベアとが架設されてなるメダル循環装置において、
前記遊技機島の一端には、少なくとも、前記回収コンベアによって搬送されるメダルを貯留する回収タンクと、前記回収タンクに貯留されたメダルを搬送する傾斜コンベアと、前記傾斜コンベアによって搬送されたメダルを揚送する回収リフタと、前記回収リフタによって揚送されたメダルを受容して洗浄するメダル洗浄装置と、前記メダル洗浄装置より排出されるメダルを貯留するメインタンクと、前記メインタンクより払い出されるメダルを揚送する補給リフタとによって構成されるメダル循環装置の主要部が配置され、
前記補給リフタは、前記回収リフタより高さが高く構成されていることを特徴とするメダル循環装置。
【請求項２】
前記回収タンクと前記傾斜コンベアとは、前記メダル循環装置のその余の主要部を収容させた前記筐体の外に配設されていることを特徴とする請求項１に記載のメダル循環装置。
【請求項３】
前記メダル循環装置の主要部は、前記回収リフタに相応する高さに形成した筐体に収容されるとともに、該筐体の上方に、紙幣搬送装置によって搬送される紙幣を収納するスタッカが配置されることを特徴とする請求項１または請求項２に記載のメダル循環装置。
【請求項４】
前記補給リフタと前記補給コンベアとの間には、前記補給リフタから前記補給コンベアへの投入口へとメダルを搬送するためのリフタコンベアが介装されるとともに、前記リフタコンベアに設けられる前記補給コンベアへのメダルの落下口となる開口の位置が、変更可能に構成されていることを特徴とする請求項１〜請求項３のいずれかに記載のメダル循環装置。
【発明の詳細な説明】
【技術分野】
【０００１】  本発明は、遊技機島に配設される紙幣搬送装置によって搬送された紙幣を収納するスタッカの設置位置と関連させて、遊技機島の同一端に主要機能を集中的に配設することが可能となるように構成したメダル循環装置に関する。
【背景技術】
【０００２】  遊技媒体を使用してゲームを行なう遊技機では、ゲームの進行を妨げず、しかも人手の介在を極力省くようにするために、遊技機島の中で常に遊技媒体が循環するようにした遊技媒体循環装置が採用される。この遊技媒体循環装置に、遊技媒体を清潔に保って遊技客に不快感を与えないようにするための遊技媒体洗浄装置を組み込んだり、遊技機島に、投入紙幣を搬送して収納する紙幣搬送装置を組み込んだりすると、そのままでは、大がかりな装置となってしまう。このような問題の解消を図るために、従来から、小さくまとまった装置とする努力がなされてきた。【０００３】  スロットマシンのようなメダルを使用する遊技機についてみると、メダル洗浄装置および紙幣搬送装置が組み込まれた従来の遊技機島の一例として、特許文献１に開示されたものが挙げられる。この特許文献１によれば（なお、「コイン」とあるのはすべて「メダル」と読み替える。）、遊技機島の一端に、メダル計数機，メダル洗浄機，メダルタンク，リフタ装置などがまとめて配設されている。遊技機島中には、メダルゲーム機およびメダル交換機にメダルを補給する配送コンベアとメダルを回収する回収コンベアとが架設されて、メダル循環経路を構成している。さらに、遊技機島中には紙幣搬送機が架設されており、該紙幣搬送機のスタッカ装置が、遊技機島のもう一方の端に配設されている。【０００４】
【特許文献１】  特開平７−６２４号公報（図１参照）
【発明の開示】
【発明が解決しようとする課題】
【０００５】  最近は、遊技機島の高さを低く抑えることにより遊技客が受ける圧迫感を減少させ、明るく見通しのよい遊技ホールを提供したいというホール店からの要望が高い。また、見通しがよくなることは、防犯の面からも有効である。そして、このような要望に応えるために、メダルの補給コンベアや紙幣搬送装置などの個々の装置について、小型・薄型に改良されたものが開発され、もって高さが低く抑えられた遊技機島の実現が図られてきた。【０００６】  本発明の目的は、メダル循環装置におけるメダルの回収と補給の主要な機能が遊技機島の一端に集中して配置されていること、しかもその中にはメダル洗浄装置が含まれたものであること、さらに紙幣搬送装置におけるスタッカの配置スペースも遊技機島の同一端に確保されることを満足したうえで、このメダル循環装置が全体としてコンパクトにまとまったものとなっていることにある。
【課題を解決するための手段】
【０００７】  本発明は、上記の如き課題に鑑みなされたもので、請求項１に記載のメダル循環装置は、横並びに並列された複数の遊技機と、これらの遊技機の間に適宜配置されたメダル貸出機とによって構成される遊技機島には、オーバーフローするメダルを回収するための回収コンベアと、前記遊技機および前記メダル貸出機にメダルを配給するための補給コンベアとが架設されてなるメダル循環装置において、前記遊技機島の一端には、少なくとも、前記回収コンベアによって搬送されるメダルを貯留する回収タンクと、前記回収タンクに貯留されたメダルを搬送する傾斜コンベアと、前記傾斜コンベアによって搬送されたメダルを揚送する回収リフタと、前記回収リフタによって揚送されたメダルを受容して洗浄するメダル洗浄装置と、前記メダル洗浄装置より排出されるメダルを貯留するメインタンクと、前記メインタンクより払い出されるメダルを揚送する補給リフタとによって構成されるメダル循環装置の主要部が配置され、前記補給リフタは、前記回収リフタより高さが高く構成されていることを特徴とする。【０００８】  請求項２の発明は、請求項１に記載のメダル循環装置において、前記回収タンクと前記傾斜コンベアとは、前記メダル循環装置のその余の主要部を収容させた前記筐体の外に配設されていることを特徴とする。【０００９】  請求項３の発明は、請求項１または請求項２に記載のメダル循環装置において、前記メダル循環装置の主要部は、前記回収リフタに相応する高さに形成した筐体に収容されるとともに、該筐体の上方に、紙幣搬送装置によって搬送される紙幣を収納するスタッカが配置されることを特徴とする。【００１０】  請求項４の発明は、請求項１〜請求項３のいずれかに記載のメダル循環装置において、前記補給リフタと前記補給コンベアとの間には、前記補給リフタから前記補給コンベアへの投入口へとメダルを搬送するためのリフタコンベアが介装されるとともに、前記リフタコンベアに設けられる前記補給コンベアへのメダルの落下口となる開口の位置が、変更可能に構成されていることを特徴とする。
【発明の効果】
【００１１】  このメダル循環装置において、遊技機よりオーバーフローするメダルを回収して貯留する回収タンクが、補助タンクとしての役割りを負って、遊技機島全体のメダルの数量が多少なりとも多く確保されるようになっている。また、この回収タンクは、傾斜コンベアと共に遊技機列の下部に設置することにより、空きスペースを有効利用するようにしているので、これらを除くメダル循環装置の主要部を収容する筐体を一層コンパクトに設計することができるようになる。【００１２】  さらに、筐体内におけるメダルの流れも、コンパクト化に沿う経路となるように構成されている。すなわち、回収リフタによって揚送されたメダルが落下していく過程で、メダルに対して洗浄および脱水が施され、その後メインタンクに貯留され、補給要求がなされたときには、メインタンクから遊技機やメダル貸出機に補給される構成となっている。そして、回収リフトについては、補給リフトよりも高さの低い構造としつつ、メダルの流れが途絶えることのない経路を構成している。筐体の高さは、高さの低い回収リフトに合わせるように設定することにより、高さの抑制された筐体を実現させている。【００１３】  紙幣を収容するスタッカは、筐体の上方に配置される状態で配設されるので、もともとコンパクトな筐体の上に置かれたものであるから目障りとならず、もって圧迫感が小さく、見通しに優れる遊技機島が提供できるようになる。また、メインタンクに対するメダルの補充作業や、スタッカに収容された紙幣の回収作業などが、遊技機島の片側にて行なうことができるので、遊技ホールの店員による作業性の改善が図られる。また、主要な機能が遊技機島の一端に集約されているので、不正に対する防犯カメラや店員による監視の目が行き届きやすくなる。【００１４】  リフタコンベアは、従来よりも狭小に設計されて自由度の制限された筐体の中で、メダルの流れが継続的な経路を形成するように介装させたものである。また、リフタコンベアには、メダルの落下口となる開口の位置を移動することのできる変更手段を設けたことにより、遊技機島中に架設される補給コンベアの設置位置の相違に自在に対応することが可能となる。
【発明を実施するための最良の形態】
【００１５】  次に、本発明の最良の実施形態について、遊技機から排出されるメダルの流れを追って図を参照しながら説明する。図１は、本発明のメダル循環装置が組み込まれた遊技機島の一端を示す正面図、図２は、図１における補給リフタを取り除いた状態の図、図３は、図１に示した遊技機島の左側面図、図４は、図３に示した遊技機島の平面図、図５は、メダルの流れを説明するための図である。また、図６および図７は、リフタコンベアを表わす図である。【００１６】  まず、図１〜図５において、遊技機島１０には、横並びに並列された複数の遊技機１１と、これらの遊技機１１の間に適宜配置され、多くの場合は遊技機１１の台間ごとに配置されるメダル貸出機１２とが備わっている。ここで、遊技機１１は、遊技媒体であるメダルを投入することによってゲームが行なわれる機械であり、メダル貸出機１２は、遊技客が投入した金額に応じてゲームを行なうためのメダルの払出しを受ける機械である。それゆえ、遊技機１１の内部には、ゲームに入賞して払い出されるメダルが貯留され、メダル貸出機１２の内部には、貸し出しのためのメダルが貯留されている。遊技機島１０の両端部には、遊技機島１０の枠体を支えるツマ板１３が立設されている。【００１７】  遊技機１１には、入賞したときに払い出すためのメダルを貯溜するホッパータンク（図示せず）が内装されている。しかしながら、払い出すメダルよりも投入されるメダルの数量が多いと、ホッパータンクに貯留しきれなくなって、遂にはホッパータンクから溢れる結果となる。溢れ出たメダルは、オーバフロー接続樋を通じてオーバフロータンク（図示せず）に流出される。遊技機島１０にメダル循環装置が組み込まれている場合には、オーバフロータンクの底面に設けた開口を介して、矢印Ａの如く、遊技機１１の外へと落下するように形成されている。【００１８】  遊技機島１０の下部には、その長手方向に沿って回収コンベア２０が架け渡され、ベルト搬送すべく常時一定の方向に向かって作動している。各遊技機１１においてオーバーフローして落下したメダルは、回収コンベア２０によって受け止められ、矢印Ｂの如く、遊技機島１０の一端に向けて搬送される。回収コンベア２０の搬送方向先端部下方には回収タンク２１が設置され、矢印Ｃの如く、搬送されてきたメダルは、回収タンク２１の中へと収容される。【００１９】  回収タンク２１の内部には、２つの貯留センサ２２が、異なる高さ位置に装着されている。これらの貯留センサ２２には、たとえば通電センサが用いられる。この他に、重量センサや位置センサ等を利用することもできる。通電センサは、金属製のメダルがセンサの高さを超えて貯留された場合には、水平方向に対向させて配置した２つの電極の間が、蓄積されたメダル自身によって通電状態となり、逆に貯留するメダルの数量が少ない場合には断線状態となることを利用して、メダルの有無を判断するものである。なお、回収タンク２１の下方には、傾斜コンベア２３の後端部が配置されている。【００２０】  ２つの貯留センサ２２のうちで、回収タンク２１の下位に装着される貯留センサ２２ａは、貯留するメダルの存在の有無を検知するものであり、遊技機島１０の全体のメダル処理能力との兼ね合いの中で、装着位置が設定される。ここでは、比較的下部の位置が選定されている。この貯留センサ２２ａによる検知情報に従って、傾斜コンベア２３が起動するようになっている。なお、傾斜コンベア２３の起動時には、これに先行する形で、後述する回収リフタ３０が作動している状態となるように制御されている。さらに、回収リフタ３０の起動時には、これに先行する形で、後述するメダル洗浄装置４０が作動状態にあるように制御されている。【００２１】  ２つの貯留センサ２２のうちで、回収タンク２１の上位に装着されるもう一つの貯留センサ２２ｂは、メダル詰まりなどに起因して異常に増加したメダルの貯留量の発生を検知するものである。このようなときには、たとえば表示手段を通じてメダルが満杯に近づいていることを店員に報知するなどして、問題点の解消を促す。【００２２】  傾斜コンベア２３の作動に伴って、回収タンク２１に貯留されているメダルは、矢印Ｄの如く、傾斜コンベア２３によってその先端に向かって搬送される。遊技機島１０の同一端には、本メダル循環装置における主要部から、回収タンク２１と傾斜コンベア２３とを除く以下に順次説明する主要部を収容する筐体１４が置かれている。そして、傾斜コンベア２３の先端部は、この筐体１４の中を覗くように形成されている。搬送されたメダルは、矢印Ｅの如く、傾斜コンベア２３の先端部から落下して、回収リフタ３０へと回収リフタ投入樋３１を介して送り込まれる。【００２３】  回収リフタ３０の外郭は角筒３２状に形成され、筐体１４の内部に立設されている。角筒３２の内部には、上端から下端に架け渡されたコンベアベルト３３が装備されて、一定の方向に周回するよう構成されている。コンベアベルト３３には、その外周面に対して垂直方向に突出するバケット３４が設けられている。このバケット３４は、コンベアベルト３３の長さ方向に沿って一定の間隔をおいて設けられており、角筒３２によって囲まれる部分とでもってカップ状の空間を形成している。【００２４】  傾斜コンベア２３より回収リフタ投入樋３１を通じて送り込まれたメダルは、回収リフタ３０の底部に形成されているメダル溜り３５よりバケット３４によって掻き揚げられ、角筒３２との間に形成されたカップ状の空間に保持されながら、矢印Ｆの如く、真上に向かって揚送される。そして、コンベアベルト３３が最上点を越えて方向転換する地点で、メダルは、自然落下によりバケット３４から吐き出される。吐き出されたメダルは、矢印Ｇの如く、洗浄機投入樋３６を通じてメダル洗浄装置４０に送り込まれる。【００２５】  本実施例において、メダル洗浄装置４０は、湯洗式のメダル洗浄機４１とローラー式の脱水機４２とによって構成されたものを採用している。また、脱水機４２は、脱水コンベア４３と脱水ローラー４４とによって構成されたものである。また、メダル洗浄機４１には洗浄ドラム４５が備わっている。メダル洗浄装置４０内のメダルは、まず、この洗浄ドラム４５に送り込まれる。洗浄ドラム４５は円筒状をなす筒体であって、筒体が横置き状態にされて、その軸心を中心としてモータ駆動によって回転するように構成されている。筒体の内周面には、円周方向に一定の間隔をおいて送りプレート��取り付けられて、側面視において放射状をなす突状片を形成している。【００２６】  メダルは、洗浄ドラム４５に浸入させた洗浄液とともに回転し、送りプレートによって攪拌されながら排出口に移動する。この攪拌と移動の過程で、メダルに付着する汚れが洗い流される。そして、矢印Ｈの如く、排出口より脱水コンベア４３へと排出される。排出されたメダルは、矢印Ｉの如く、脱水コンベア４３に載って水切りされながら搬送され、矢印Ｊの如く、脱水ローラー４４に投下される。脱水ローラー４４には、対にして並べられた吸水ローラーが複数組組み込まれ、モータ駆動により、対となった吸水ローラー同士の接触点において、メダルを引き込むような方向に、それぞれが逆回転となる回転を与えられている。なお、筐体１４の底部には、水サブタンク４６が備えられて、洗浄液の不足を予防している。【００２７】  吸水ローラーは、たとえばスポンジゴムやフェルト繊維のような吸水性と弾力性とを備えた材料で構成される軟質多孔状の弾性部材を外周に被覆して形成されたものである。メダルに残っている洗浄液は、対となった吸水ローラーに挟持されながら通過する過程で拭き取られる。そして、矢印Ｋの如く、メインタンク５０に投下される。【００２８】  メダル洗浄装置４０は、回収タンク２１の下位に装着された貯留センサ２２ａによってメダルの貯留が検知され、かつ、後述するメインタンク５０に装着される２つの貯留センサ５１のうち、上位に装着される貯留センサ５１ｂによって、タンク内が満杯の状態にないことが検知されている状態で作動するように制御されている。【００２９】  メインタンク５０は、本メダル循環装置において最も多量にメダルを貯留するためのタンクである。そして、このメインタンク５０の内部にも、回収タンク２１と同様の通電センサからなる貯留センサ５１が、上下の２ヶ所の位置に装着されている。そのうち、上位に装着される貯留センサ５１ｂは、タンク内が満杯に近い状態にあるか否かを報知するためのセンサである。満杯に近いことを検知したときには、たとえば表示手段によって店員に報知するなどして、問題点の解消を促す。そのため、メインタンク５０下部にはシャッター５２が取り付けられている。シャッター５２を開けることによって、手作業にてメダルを抜き取ることができる。【００３０】  メインタンク５０の下位に装着された貯留センサ５１ａは、メダルの不足状態を検知するものであり、不足が検知されたときは、たとえば表示手段によってメダルが不足していることを店員に報知するなどして、問題点の解消を促す。そのため、メインタンク５０には、補充扉５３が上開きに開閉自在に取り付けられ、手作業にてメダルを補充することができるようになっている。【００３１】  メインタンク５０の下方には、遊技機１１またはメダル貸出機１２からの補給要求信号に従って起動するメインタンクコンベア５４が水平に配設されている。メインタンクコンベア５４の起動に伴って、矢印Ｌの如く、メインタンク５０に貯留されたメダルが水平搬送される。そして、矢印Ｍの如く、補給リフタ６０へと補給リフタ投入樋６１を通じて送り込まれ、メダル溜り３５に貯留される。なお、補給リフタ６０は、このメダル循環装置の主要部��収容する筐体１４の内部にあって、回収リフタ３０と向き合った反対位置に立設されたものである。また、補給要求信号が発信された場合には、メインタンクコンベア５４のみならず、以下に述べる補給コンベアまでの総ての装置が作動状態に入る。【００３２】  補給リフタ６０は、既述した回収リフタ３０と同じ構造を有するものである。ただし、メダルの経路を連続して構成できるように、補給リフタ６０の高さは、回収リフタ３０の高さより高く形成されている。従って、補給リフタ６０は、ちょうど回収リフタ３０を収納できるだけの高さに設定して、コンパクトなサイズとすることを狙いとした筐体１４の天板１５から、上に突出した形に形成されることになる。【００３３】  補給リフタ６０の上端部には、リフタコンベア投入樋６２が隣接されている。メダル溜り３５に貯留されたメダルは、バケット３４によって掻き集められて、矢印Ｎの如く、真上に向かって揚送され、コンベアベルト３３が最上点を越えて方向転換する地点で、自然落下によりバケット３４から吐き出される。吐き出されたメダルは、矢印Ｏの如く、リフタコンベア投入樋６２を通じてリフタコンベア７０に送り込まれる。【００３４】  リフタコンベア７０は、筐体１４内の最上部に設置されている。補給リフタ６０より投下されたメダルは、矢印Ｐの如く、一定方向に向かって水平搬送される。そして、搬送途中に開設された開口７１を通じて、外部に排出される。【００３５】  ここで、リフタコンベア７０の概要について、図６を参照しながら説明する。本図において、駆動モータ７２が回転駆動することによって、水平に架け渡されたコンベアベルト７３の上面が矢印Ｐの方向に移動している。補給リフタ投入樋６３を介して投下されたメダルは、コンベアベルト７３上面の一端部に載置されて、他端に向かって水平搬送される。コンベアベルト７３上面の途中には、メダルの行く手を阻む遮蔽板７４が進行方向に対して斜めに傾いて取り付けられている。メダルは、遮蔽板７４の傾斜面に阻止され、リフタコンベア７０の一側面に押しやられる。開口７１は、遮蔽板７４の取り付け位置に対応して該一側面に設けられるもので、一側面に押しやられたメダルは、ついに開口７１からリフタコンベア７０の外に排出される。【００３６】  開口７１より排出されるメダルは、後述する補給コンベア８０への補給用として排出されるものである。そのために、開口７１は、遊技機島１０における補給コンベア８０の設定位置の相違に対応できるように、取り付け位置を変更することができるようになっている。これに伴って、遮蔽板７４についても、リフタコンベア７０の両側面に一列に穿設させた複数のボルトの締め付け穴の位置を選択することによって、取り付け位置が変更できるように形成されている。【００３７】  開口７１の位置の変更手段としては、たとえば、開口７１が開設される側にあるリフタコンベア７０の一側面に比較的長めとなる切欠７５を設けて、これを３枚のプレートによって塞ぐという方法がとられる。３枚のプレートのうちの１枚は、開口７１を有する開口プレート７６ａであり、残りの２枚は、長さの異なる調整プレート７６ｂ，７６ｃである。図６では、この図の左から順に短い調整プレート７６ｂ��開口プレート７６ａ、長い調整プレート７６ｃと並べて組み合わせた構成としている。【００３８】  図７は、他の実施例を示すもので、この図の左から短い調整プレート７６ｂ、長い調整プレート７６ｃ、開口プレート７６ａという順に並べて、図６とは異なる位置に開口７１を設けたものである。これに合せて、遮蔽板７４の取り付け位置も、変更されている。そして、このような３枚のプレート７６の組み合わせによる方法を採用した場合は、その並べ順によって、４つの異なる開口７１の位置を得ることができるようになる。４つの組み合わせでもって、遊技機島１０における補給コンベア８０の設定位置の相違に対して、実用上十分に対応することが可能となる。【００３９】  次に、開口７１より排出されたメダルは、矢印Ｑの如く、開口７１に対応して設置した補給コンベア投入樋７７を介して、補給コンベア８０の一端に投下される。補給コンベア８０は、遊技機１１列の背面側に遊技機島１０を水平に貫いて設置されるもので、長さの長いコンベアベルト８１に弛みが生じないように緊張手段８２によってテンションを付加された状態で架け渡されている。補給コンベア８０の一端に投下されたメダルは、コンベアベルト８１の上面に載置されて、遊技機島１０の他端に向かって搬送される。【００４０】  補給コンベア８０には、各遊技機１１および各メダル貸出機１２のホッパータンクに連絡する投入樋へのメダルの投入口となる開口８３が、それぞれに対応させて開設されている。開口８３には、補給シュート８４が付設されている。【００４１】  補給シュート８４は、ソレノイドによって梃子のように回動するアームの先端部に、遮蔽板８５が組み込まれたものである。遊技機１１またはメダル貸出機１２からメダルの補給要求がなされた場合に、ソレノイドが作動して梃子が回動し、遮蔽板８５が、メダルの進行方向を斜めに塞ぐようにしてコンベアベルト８１の上面に降りてくる。また、これと同時に、梃子の回動と連動して開くように構成した開口８３の蓋が開扉する。そして、搬送中のメダルは、斜めに降りてきた遮蔽板８５に行く手を阻まれ、補給シュート８４の一側面に押しやられ、ついには、矢印Ｒの如く、開口８３よりホッパータンクに向かって排出される。【００４２】  両面形式の遊技機島１０の場合には、補給シュート８４の遮蔽板８５の向きによって、メダルは、左右に振り分けられて補給される。補給に利用されないまま最後まで残ったメダルは、補給コンベア８０の終端より落下して、回収コンベア２０に回収される（図示せず）。このようにして、本メダル循環装置におけるメダルの循環経路が完結している。【００４３】  一方、遊技機島１０には、紙幣搬送装置９０が、遊技機島１０を貫いて水平に架け渡されている。紙幣搬送装置９０は、ゲームを行なうための紙幣を受入れて投入金額に相当するメダルの貸出しをメダル貸出機１２に指令する機能を備えている。遊技客によって投入された紙幣は、紙幣搬送装置９０によって、メダル循環装置の主要部を収容する筐体１４の設置された遊技機島１０の一端と同じ側に搬送される。そして、筐体１４の天板１５に載置またはツマ板１３に固定されたスタッカ９１に収納される。【００４４】  以上のように構成されたメダル循環装置は、筐体１４がコンパクトに形成されているので、その上方にスタッカ９１が配置されたのちも、コンパクトな構成であることに変わりはなく、全体として背が低くて見通しに優れる遊技機島１０が出現する。しかも、遊技機島１０の同一端にメダル循環装置とスタッカ９１とが集中して設置されているので、両端に振り分けて設置したものよりも遊技機島１０の全長が短く、省スペースとなっている。また、同一端に主要な機能が集中しているので、遊技ホールの店員による作業性が向上し、防犯上でも効果的である。
【図面の簡単な説明】
【００４５】
【図１】  本発明のメダル循環装置の構成を説明するための一部正面図である。
【図２】  図１より補給リフタを取り去った図である。
【図３】  図１の左側面図である。
【図４】  図３の平面図である。
【図５】  メダルの流れを説明するための図である。
【図６】  本発明のリフタコンベアを示し、（ａ）は平面図、（ｂ）は正面図、（ｃ）はその左側面図、（ｄ）は背面図である。
【図７】  本発明のリフタコンベアの他の実施例を示し、（ａ）は図６の平面図、（ｄ）は図６の背面図に相当する。
【符号の説明】
【００４６】  １０  遊技機島
１１  遊技機
１２  メダル貸出機
１４  筐体
２０  回収コンベア
２１  回収タンク
２３  傾斜コンベア
３０  回収リフタ
３１  回収リフタ投入樋
３６  洗浄機投入樋
４０  メダル洗浄装置
４１  メダル洗浄機
４２  脱水機
５０  メインタンク
５４  メインタンクコンベア
６０  補給リフタ
６１  補給リフタ投入樋
６２  リフタコンベア投入樋
７０  リフタコンベア
７１  開口
７４  遮蔽板
７５ａ  開口プレート
７５ｂ，７５ｃ  調整プレート
７７  補給コンベア投入樋
８０  補給コンベア
８４  補給シュート
９０  紙幣搬送装置
９１  スタッカ
Ａ〜Ｒ  メダルの流れを示す矢印
【図１】
2006034909.tif 000003
【図２】
2006034909.tif 000004
【図３】
2006034909.tif 000005
【図４】
2006034909.tif 000006
【図５】
2006034909.tif 000007
【図６】
2006034909.tif 000008
【図７】
2006034909.tif 000009